(57)【要約】【課題】所望方向の利得が高くて小型化が容易なアンテナ装置を提供すること。【解決手段】誘電体からなる柱状の基体１，２と、各基体１，２に埋設された複数本の誘導素子３と、両基体１，２の間に配置された給電素子４と、給電素子４を覆う導波管５とを備えて構成されるアンテナ装置であって、一対の基体１，２が導波管５を挟んで直線状に連結されている。導波管５は相対向する一対の開口端５ａ，５ｂを有しており、基体１，２をそれぞれ導波管５の開口端５ａ，５ｂに連結することによって、誘導素子３群と導波管５内の給電素子４が一列に配置されて、列の中心に給電素子４が位置するようになっている。【選択図】図１
2009027247.tif 000002
【特許請求の範囲】
【請求項１】
誘電体からなる柱状の基体と、この基体に埋設されて該基体の長手方向と直交する向きに延びる金属棒からなり、該基体の長手方向に沿って一列に配置された複数本の誘導素子と、これら誘導素子の列の延長線上に該誘導素子と平行に配置された金属棒からなる給電素子と、前記複数本の誘導素子と前記給電素子との間に開口端を位置させて該給電素子を覆う導波管とを備えていることを特徴とするアンテナ装置。
【請求項２】
請求項１の記載において、前記導波管は相対向する一対の開口端を有しており、これら両開口端の反給電素子側にそれぞれ前記複数本の誘導素子が配設されていることを特徴とするアンテナ装置。
【請求項３】
請求項１の記載において、前記導波管が前記開口端と対向する閉塞端を有すると共に、この導波管を前記基体の長手方向の一端部に冠着させたことを特徴とするアンテナ装置。
【発明の詳細な説明】
【技術分野】
【０００１】
本発明は、特定方向の利得を高めた指向性アンテナで、かつ小型化に好適なアンテナ装置に関する。
【背景技術】
【０００２】
特定方向の利得を高めたアンテナ装置としては、単方向性の八木アンテナが広く知られている（例えば、特許文献１参照）。一般的に八木アンテナは、給電素子や誘導素子（無給電の反射器や導波器）として動作する複数本の金属棒を、所定の間隔を存して互いに平行かつ一列に配置させた構成となっている。また、この種の八木アンテナの変形例として、列の中心に給電素子を位置させ、この給電素子を挟んで同数の誘導素子を線対称に配置させることによって、指向性を双方向性としたアンテナ装置も知られている。
【特許文献１】特開２０００−１３８５２１号公報（第３頁、図７）
【発明の開示】
【発明が解決しようとする課題】
【０００３】
ところで、無線ＬＡＮの中継アンテナや受信アンテナなどでは特定方向の利得を高めることで効率が大幅に上昇するため、指向性の強い八木アンテナを使用することが考えられるが、通常の八木アンテナの給電素子は半波長ダイポールアンテナと同等の長さに設定されているため、所望の小型化が図りにくいという問題があった。また、指向性という点においても、通常の八木アンテナではメインローブに比してサイドローブが十分に小さくないため、その分、所望方向の利得が低下してしまうという問題があった。
【０００４】
本発明は、このような従来技術の実情に鑑みてなされたもので、その目的は、所望方向の利得が高くて小型化が容易なアンテナ装置を提供することにある。
【課題を解決するための手段】
【０００５】
上記の目的を達成するために、本発明のアンテナ装置では、誘電体からなる柱状の基体と、この基体に埋設されて該基体の長手方向と直交する向きに延びる金属棒からなり、該基体の長手方向に沿って一列に配置された複数本の誘導素子と、これら誘導素子の列の延長線上に該誘導素子と平行に配置された金属棒からなる給電素子と、前記複数本の誘導素子と前記給電素子との間に開口端を位置させて該給電素子を覆う導波管とを備える構成とした。
【０００６】
このように構成されるアンテナ装置において、給電素子と複数本の誘導素子は八木アンテナと同じように動作させることができる。そして、これら誘導素子が誘電体からなる基体に埋設されており、かつ給電素子が導波管で覆われているため、誘電体による波長短縮効果や、給電素子の先端部と導波管との間に生成される静電容量の影響によって、装置の小型化を容易に実現できる。また、給電素子を覆う導波管の開口端がメインローブを向くように設定されているため、サイドローブが小さくてメインローブが大きな放射パターンが得られ、それゆえ所望方向の利得を著しく高めることができる。
【０００７】
上記の構成において、導波管が相対向する一対の開口端を有しており、これら両開口端の反給電素子側にそれぞれ複数本の誘導素子が配設されていると、アンテナ装置の指向性を双方向性とすることができる。この場合、誘導素子が埋設されている一対の基体を導波管を挟んで直線状に連結するという構成にしてもよいし、基体の長手方向の中央部を導波管で囲繞するという構成にしてもよい。
【０００８】
また、上記の構成において、導波管が開口端と対向する閉塞端を有すると共に、この導波管を基体の長手方向の一端部に冠着させるという構成にした場合には、アンテナ装置の指向性を単方向性とすることができる。
【発明の効果】
【０００９】
本発明のアンテナ装置によれば、複数本の誘導素子が誘電体からなる基体に埋設されており、かつ給電素子が導波管で覆われているため、誘電体による波長短縮効果や、給電素子の先端部と導波管との間に生成される静電容量の影響によって、装置の小型化を容易に実現できる。また、給電素子を覆う導波管の開口端がメインローブを向くように設定されているため、サイドローブが小さくてメインローブが大きな放射パターンが得られ、それゆえ所望方向の利得を著しく高めることができる。
【発明を実施するための最良の形態】
【００１０】
発明の実施の形態を図面を参照して説明すると、図１は本発明の第１実施形態例に係るアンテナ装置の外観図、図２は該アンテナ装置の断面図、図３は該アンテナ装置の平面図、図４は図１のｘ−ｙ面における該アンテナ装置の放射パターンを示す特性図、図５は図１のｚ−ｘ面における該アンテナ装置の放射パターンを示す特性図である。
【００１１】
図１〜図３に示すアンテナ装置は、誘電体からなる一対の基体１，２と、両基体１，２に埋設された複数本の誘導素子３と、両基体１，２の間に配置された給電素子４と、給電素子４を覆う導波管５とによって主に構成されており、一対の基体１，２が導波管５を挟んで直線状に連結されている。このアンテナ装置は無線ＬＡＮの中継アンテナなどに適用可能な双方向性の指向性アンテナであり、本実施形態例では使用周波数帯域を２，４ＧＨｚとして設計されている。
【００１２】
基体１と基体２はポリエチレン等の誘電体からなる柱状の成形品である。基体１と基体２は形状も寸法も材料も全て同じであり、それぞれ長手方向に沿って一列に５本の誘導素子３を埋設している。また、導波管５は金属製で、相対向する一対の開口端５ａ，５ｂと、給電素子４の給電部４ａが配置される円筒部５ｃとを有しており、この導波管５内の中央部に給電素子４が立設されている。基体１，２はそれぞれ導波管５の開口端５ａ，５ｂに嵌合状態で連結されており、基体１，２内の計１０本の誘導素子３群と導波管５内の給電素子４が一列に配置され、この列の中心に給電素子４が位置している。
【００１３】
誘導素子３は基体１，２にそれぞれ５本ずつ埋設されている。そして、これら誘導素子３群を埋設した基体１，２を導波管５に組み付けて、基体１内の誘導素子３群の列と給電素子４との間に開口端５ａを位置させ、かつ基体２内の誘導素子３群の列と給電素子４との間に開口端５ｂを位置させている。各誘導素子３は基体１，２の板厚方向に延びる金属棒からなり、本実施形態例では、各誘導素子３の長さ寸法を基体１，２の厚さ寸法ｔと同等の約３２ｍｍとし、等間隔な誘導素子３群のピッチｐを約１６ｍｍとしている。また、本実施形態例では、導波管５の開口端５ａ，５ｂ間の長さ寸法ｓを約４６ｍｍ、幅寸法ｗを約５０ｍｍとし、基体１，２を導波管５に組み付けた状態で開口端５ａ，５ｂから近傍の誘導素子３までの間隔ｄが約１２ｍｍとなるように設定している。導波管５内に立設された給電素子４は、基端側の給電部４ａに図示せぬフィーダが接続されて給電信号が供給されるようになっている。この給電素子４は誘導素子３に比して長さ寸法が短い金属棒からなり、本実施形態例では、開口端５ａ，５ｂと対向する給電素子４の長さ寸法ｈを約１８ｍｍとしている。図２や図３に示すように、給電素子４は誘導素子３群の列の延長線上に誘導素子３と平行に配置される。
【００１４】
このように構成されたアンテナ装置は、導波管５が相対向する一対の開口端５ａ，５ｂを有しており、これら両開口端５ａ，５ｂの反給電素子４側にそれぞれ誘導素子３群が配設されているため、指向性が双方向性となっている。そして、このアンテナ装置では、誘導素子３群と給電素子４を八木アンテナと同じように動作させることができるが、誘導素子３群が基体１，２に埋設されているため、誘電体による波長短縮効果によって共振周波数が下がり、小型化が図りやすくなっている。また、給電素子４が導波管５で覆われているため、給電素子４の先端部と導波管５との間に生成される静電容量によっても共振周波数が下がる。したがって、このアンテナ装置は、一般的な八木アンテナに比べて装置の小型化が容易に実現できる。
【００１５】
しかも、このアンテナ装置は、給電素子４を覆う導波管５の開口端５ａ，５ｂがメインローブを向くように設定されているため、不所望方向への放射を導波管５によって効果的に遮断することができる。その結果、図４と図５に示すように、このアンテナ装置の放射パターンは、サイドローブが小さくなってメインローブが大きくなっており、所望方向の利得を著しく高めることができる。
【００１６】
なお、上記実施形態例では、誘導素子３群が埋設されている一対の基体１，２を導波管５を挟んで直線状に連結するという構成にしてあるが、基体１，２よりも長尺で長手方向両端と中央部の間にそれぞれ複数本の誘導素子３を埋設している１本の柱状の基体を用い、この基体の長手方向中央部を導波管５で囲繞するという構成にしてもよい。
【００１７】
図６は本発明の第２実施形態例に係るアンテナ装置の断面図であって、図２と対応する部分には同一符号が付してあるため重複する説明は省略する。
【００１８】
図６に示すアンテナ装置は、管内に給電素子４を立設している導波管６が、基体１を嵌合状態で連結する開口端６ａと、開口端６ａに対向する閉塞端６ｂと、給電素子４の給電部４ａが配置される円筒部６ｃとを有しており、閉塞端６ｂが反射器として動作するように給電素子４の立設位置が設定されている。そして、この導波管６を基体１の長手方向の一端部に冠着させることによって、基体１内に埋設されている誘導素子３群と給電素子４を一列に配置させているため、給電素子４から開口端６ａを介して基体１を臨む側で利得が著しく高まり、指向性が単方向性となっている。
【図面の簡単な説明】
【００１９】
【図１】本発明の第１実施形態例に係るアンテナ装置の外観図である。
【図２】該アンテナ装置の断面図である。
【図３】該アンテナ装置の平面図である。
【図４】図１のｘ−ｙ面における該アンテナ装置の放射パターンを示す特性図である。
【図５】図１のｚ−ｘ面における該アンテナ装置の放射パターンを示す特性図である。
【図６】本発明の第２実施形態例に係るアンテナ装置の断面図である。
【符号の説明】
【００２０】
１，２  基体
３  誘導素子
４  給電素子
４ａ  給電部
５，６  導波管
５ａ，５ｂ，６ａ  開口端
６ｂ  閉塞端
【図１】
2009027247.tif 000003
【図２】
2009027247.tif 000004
【図３】
2009027247.tif 000005
【図４】
2009027247.tif 000006
【図５】
2009027247.tif 000007
【図６】
2009027247.tif 000008